(57)【要約】【課題】大容量のお湯を貯湯できるとともに、給水時等においても安全に取り扱いできるようにする。【解決手段】お湯を貯湯する貯湯容器１を着脱自在に給湯機本体２の載置台９に載置できるようにした給湯機において、前記貯湯容器１を、お湯を貯湯する内容器３と該内容器３の外周部を覆う外ケース４と前記内容器３の上部を開閉自在に覆う蓋体６とを備えて構成し、前記貯湯容器１を前記載置台９上に載置した状態において加熱源である電気ヒータ３２を作動させるだけで、内容器３内の水の湯沸かしおよび保温を行うことができるとともに、電動ポンプ装置７の駆動により給湯通路８および注出通路４６を介してお湯の注出が行えるようにしている。【選択図】　　　　図４
2004141482.tif 000002
【特許請求の範囲】
【請求項１】
お湯を貯湯する貯湯容器と、該貯湯容器を着脱自在に載置する載置台を備えた給湯機本体とからなる給湯機であって、前記貯湯容器を、お湯を貯湯する内容器と該内容器の外周部を覆う外ケースと前記内容器の上部を開閉自在に覆う蓋体とを備えて構成する一方、前記給湯機本体には、前記載置台に隣接して立ち上がり、上端部に庇部を備えた立脚部を立設するとともに、前記貯湯容器の底部には、該貯湯容器を前記載置台上に載置した状態において前記立脚部に沿って上方に延設されて前記庇部内に形成された注出通路に上端開口が臨まされる給湯通路を接続し且つ該給湯通路の下端部には、電動ポンプ装置のポンプ部を介設する一方、前記給湯機本体の載置台には、該載置台上に前記貯湯容器を載置した状態において、前記内容器を加熱する加熱源と前記ポンプ部に駆動力を伝達する駆動部とを内蔵させたことを特徴とする給湯機。
【請求項２】
前記給湯機本体には、前記庇部の下方に位置してサーバ等の受液用容器を載置する受け台を設けたことを特徴とする前記請求項１記載の給湯機。
【請求項３】
前記給湯機本体における庇部には、給湯キー等を備えた操作部を設けたことを特徴とする前記請求項１および２のいずれか一項記載の給湯機。
【請求項４】
前記貯湯容器における蓋体には、前記貯湯容器が前記載置台へ載置された状態において前記給湯機本体における庇部に形成された凹部あるいは凸部に対して係合する凸部あるいは凹部を形成したことを特徴とする前記請求項１、２および３のいずれか一項記載の給湯機。
【請求項５】
前記貯湯容器の前記給湯機本体における載置台への載置状態を検知する検知手段を付設するとともに、該検知手段による載置状態検知時にのみ前記加熱源が作動開始されるように構成したことを特徴とする前記請求項１、２、３および４のいずれか一項記載の給湯機。
【発明の詳細な説明】
【０００１】
【発明の属する技術分野】
本願発明は、給湯機に関し、さらに詳しくは貯湯部が取り外し自在な別体構成とされている給湯機に関するものである。
【０００２】
【従来の技術】
お湯を沸かして保温する貯湯用の内容器を備え、該内容器内のお湯を電動ポンプ装置を介設した給湯通路を介して外部へ給湯するように構成された家庭用の電気貯湯容器は従来から良く知られている。
【０００３】
上記構成の電気貯湯容器の場合、内容器の容量が限られているため、大家族で使用する時あるいは大勢の来客があるパーティ時等のように使用量が増えると、湯ぎれを生じてしまうという不具合があった。
【０００４】
上記不具合を解消するために、大容量の内容器を備えた電気貯湯容器が開発されるようになってきている。ところが、内容器を大容量化した場合、内容器が容器本体から取り外せない一体構造の従来型の電気貯湯容器では、給水時等において使い勝手が悪くなるという新たな問題が生じる。
【０００５】
そこで、内容器を容器本体から取り外しできるように構成し、給水時等においては内容器だけを分離して取り外し得るようにした電気貯湯容器が提案されている（特許文献１参照）。
【０００６】
【特許文献１】
特開２０００−１４５５１。
【０００７】
【発明が解決しようとする課題】
上記公知例のものでは、容器本体に対して給湯通路付きの内容器が取り外しできる構造となっているため、取り外し時においては、内容器および給湯通路が露出した状態となる。この状態で給水を行う場合、高温の内容器に触れると熱い思いをしなければならないし、内容器および給湯通路に外力が作用して損傷してしまうおそれもある。
【０００８】
本願発明は、上記の点に鑑みてなされたもので、大容量のお湯を貯湯できるとともに、給水時等においても安全に取り扱いできるようにすることを目的としている。
【０００９】
【課題を解決するための手段】
本願発明では、上記課題を解決するための第１の手段として、お湯を貯湯する貯湯容器と、該貯湯容器を着脱自在に載置する載置台を備えた給湯機本体とからなる給湯機において、前記貯湯容器を、お湯を貯湯する内容器と該内容器の外周部を覆う外ケースと前記内容器の上部を開閉自在に覆う蓋体とを備えて構成する一方、前記給湯機本体に、前記載置台に隣接して立ち上がり、上端部に庇部を備えた立脚部を立設するとともに、前記貯湯容器の底部に、該貯湯容器を前記載置台上に載置した状態において前記立脚部に沿って上方に延設されて前記庇部内に形成された注出通路に上端開口が臨まされる給湯通路を接続し且つ該給湯通路の下端部に、電動ポンプ装置のポンプ部を介設する一方、前記給湯機本体の載置台に、該載置台上に前記貯湯容器が載置された状態において、前記内容器を加熱する加熱源と前記ポンプ部に駆動力を伝達する駆動部とを内蔵させている。
【００１０】
上記のように構成したことにより、貯湯容器における内容器に水を入れて、貯湯容器を給湯機本体における載置台上に載置して、電源を投入すると、載置台に内蔵された加熱源により前記内容器が加熱され、内部の水が湯沸かしされ、その後所定温度に保温される（換言すれば、貯湯される）。この状態で、電動ポンプ装置における駆動部を駆動開始させると、該駆動部の駆動力がポンプ部に伝達されて、ポンプ部が駆動開始し、内容器内に貯湯されているお湯が給湯通路および庇部に形成された注出通路を介して注出されることとなる。つまり、貯湯容器を給湯機本体の載置台上に載置した後、加熱源を作動させるだけで、内容器内の水の湯沸かしおよび保温を行うことができるとともに、電動ポンプ装置の駆動により給湯通路および注出通路を介してお湯の注出が行えることとなっており、内容器を大容量化したとしても、コンパクトで使い勝手のよいものとなるのである。
【００１１】
また、貯湯容器を着脱することができるようになっているので、内容器を大容量化しても給水が容易且つ簡単に行えるとともに、内容器内の洗浄も簡単に行える。
【００１２】
また、加熱源および電動ポンプ装置の駆動部を給湯機本体の載置台部分に内蔵させ、貯湯容器側には電気部品が存在しない構造となっているので、給水時および洗浄時においても水濡れによる感電が生じるおそれがなくなる。
【００１３】
本願発明では、さらに、上記課題を解決するための第２の手段として、上記第１の手段を備えた給湯機において、前記給湯機本体に、前記庇部の下方に位置してサーバ等の受液用容器を載置する受け台を設けることもでき、そのように構成した場合、受液用容器を常時安定した受液姿勢に保持することができることとなり、給湯されたお湯を確実に収容することができる。
【００１４】
本願発明では、さらに、上記課題を解決するための第３の手段として、上記第１又は第２の手段を備えた給湯機において、前記給湯機本体における庇部に、給湯キー等を備えた操作部を設けることもでき、そのように構成した場合、給湯キー等の操作が比較的高い位置で行えることとなるため操作がし易くなる。
【００１５】
本願発明では、さらに、上記課題を解決するための第４の手段として、上記第１、第２又は第３の手段を備えた給湯機において、前記貯湯容器における蓋体に、前記貯湯容器が前記載置台へ載置された状態において前記給湯機本体における庇部に形成された凹部あるいは凸部に対して係合する凸部あるいは凹部を形成することもでき、そのように構成した場合、載置台上に載置された貯湯容器と給湯機本体とが、貯湯容器蓋体に形成された凸部あるいは凹部と庇部に形成された凹部あるいは凸部との係合により一体的に結合されることとなり、貯湯容器の不用意な転倒を防止することができる。
【００１６】
本願発明では、さらに、上記課題を解決するための第５の手段として、上記第１、第２、第３又は第４の手段を備えた給湯機において、前記貯湯容器の前記給湯機本体における載置台への載置状態を検知する検知手段を付設するとともに、該検知手段による載置状態検知時にのみ前記加熱源が作動開始されるように構成することもでき、そのように構成した場合、貯湯容器を載置台上に載置した時にのみ加熱源による加熱が開始されることとなり、加熱源の空焚きを防止することができる。
【００１７】
【発明の実施の形態】
以下、添付の図面を参照して、本願発明を幾つかの好適な実施の形態について説明する。
【００１８】
第１の実施の形態
図１ないし図７には、本願発明の第１の実施の形態にかかる給湯機が示されている。
【００１９】
この給湯機は、図１ないし図５に示すように、お湯を貯湯する貯湯容器１と、該貯湯容器１を着脱自在に載置する載置台９を備えた給湯機本体２とからなっている。
【００２０】
前記貯湯容器１は、お湯を沸かして保温する（換言すれば、貯湯する）内容器３と、該内容器３の外周部を覆う合成樹脂製の外ケース４と、該外ケースの上端部と前記内容器３の上端部とを結合する合成樹脂製の肩部材５と、前記内容器３の上部を開閉自在に覆う蓋体６と、前記内容器３の底部に接続され且つ電動ポンプ装置７のポンプ部７Ａ（後述する）を備えた給湯通路８とを備えて構成されており、前記外ケース４は、底部が開放されるとともに、前記内容器３とともに前記給湯通路８の外周側を覆うように構成されている。この外ケース４の下端部には、この貯湯容器１を給湯機本体２の載置台９に載置したとき、該載置台９の口縁部９ａと係合する係合段部４ａが形成されており、該係合段部４ａの下方部位は、前記載置台９への係合部４ｂとされている。
【００２１】
前記内容器３は、金属製（例えば、ステンレス製）の有底円筒形状の内筒１０と該内筒１０の側周部上下位置に対して接合された金属製（例えば、ステンレス製）の円筒形状の外筒１１とからなる真空二重容器とされており、その底部は、前記内筒１０の底部全体からなる非真空部３ａとされている。該非真空部３ａの外周部には、下向きの突部１２が一体に突設されており、該突部１２には、取付座１３が溶接により固着されている。そして、前記内容器３の上端口縁を前記肩部材５に係合させた状態で、前記取付座１３に対して前記外ケース４の下端部（具体的には、係合部４ａの下端部）に一体に延設された内向きの鍔部１４をビス１５で固着することにより、外ケース４と内容器３とが肩部材５を介して結合されることとなっている。
【００２２】
そして、前記内容器３の底部を構成する非真空部３ａには、前記電動ポンプ装置７におけるポンプ部７Ａが取り付けられており、該ポンプ部７Ａと、該ポンプ部７Ａの吐出口１６に接続され、前記内容器３の側面に沿って上方に延び、上端において屈曲し、その先端が下向きの出口１７ａ（換言すれば、上端開口）とされる透明な注出パイプ１７とによって前記給湯通路８が構成されることとなっている。この給湯通路８は、前記外ケース４に一体に形成されたパイプカバー１８により被覆されている。該パイプカバー１８には、内部の注出パイプ１７における水位を透視できる透明窓１９が形成されている。
【００２３】
前記ポンプ部１７Ａは、後に詳述するが、貯湯容器１を載置台９に載置した状態において給湯機本体２の載置台９内に配設された駆動部７Ｂと動力伝達可能に結合されることとなっている。また、前記注出パイプ１７の出口１７ａは、後述するように、貯湯容器１を載置台９に載置した状態において給湯機本体２の庇部８内に形成された注出通路４６の入口４６ａに臨まされることとなっている。
【００２４】
前記蓋体６は、内部に断熱材２０を充填してなる断熱蓋とされており、内容器３内において発生した水蒸気を排出する蒸気排出通路２１を備えている。該蒸気排出通路２１には、転倒時に蒸気排出通路２１を通って内容器３内のお湯が外部へ漏出するのを防止する転倒止水弁２２が介設されている。
【００２５】
この蓋体６には、前記給湯通路８を構成する注出パイプ１７の上端部を覆うカバー部２３が一体に延設されており、該カバー部２３は、後述するように、貯湯容器１を載置台９に載置した状態において給湯機本体２の庇部８における前記注出通路入口４６ａ側に形成された凹部４５に係合し、該係合力によって貯湯容器１の不用意な転倒を防止し得るようになっている。つまり、本実施の形態においては、前記カバー部２３は、貯湯容器１の転倒を防止するための凸部を構成することとなっているのである。なお、本実施の形態においては、貯湯容器１の転倒を防止するための凸部を蓋体６のカバー部２３で兼用し、凹部４５を庇部２８側における注出通路４６の入口側に形成するようにしているが、前記凸部および凹部は蓋体６および庇部２８の適所に独立して形成することもできるし、逆に、凸部を庇部２８に、凹部を蓋体６に形成することもできる。
【００２６】
また、この蓋体６は、前記給湯通路８の配設位置と反対側においてヒンジピン２４を回動中心として開閉自在とされている。符号２５は蒸気排出口、２６は持ち運び用のハンドル、４４は蓋体６の閉止状態を保持するためのロック機構である。
【００２７】
一方、前記給湯機本体２は、前記載置台９と、該載置台９に隣接して立ち上がり、上端部における反載置台側に庇部２８を備えた立脚部２７と、前記庇部２８の下方に位置してサーバ等の受液用容器３０を載置する受け台２９とを備えて構成されている。つまり、本実施の形態においては、給湯機本体２を構成する載置台９および受け台２９は、立脚部２７を挟んで前後に位置することとなっているのである。従って、内容器３を大容量化しても、給湯機の横方向寸法があまり大きくならないこととなり、設置スペースの選択が容易となる。
【００２８】
前記載置台９には、前記貯湯容器１における外ケース４の係合部４ｂを係合させるための係合凹部３１が形成されており、該係合凹部３１の底面中央部には、前記内容器３を加熱する加熱源となる電気ヒータ３２が配設されている。該電気ヒータ３２は、熱良導体である金属製（例えば、アルミニウムあるいはアルミニウム合金製）ののヒータカバー３３と、該ヒータカバー３３の下面に配設されたシーズヒータ等の発熱体３４とからなっており、前記ヒータカバー３３は、前記貯湯容器１の載置時において、該貯湯容器１における内容器３の底部を構成する非真空部３ａに当接されることとなっている。前記発熱体３４は、湯沸かし時に作動する湯沸かし用発熱体３４Ａと、保温時に作動する保温用発熱体３４Ｂとからなっている（図７参照）。
【００２９】
また、前記ヒータカバー３３の中心部には、円形の開口３５が形成されており、該開口３５に臨むようにして温度センサー３６が設けられている。該温度センサー３６は、前記ヒータカバー３３の下方に配設された支持部材３７に対してスプリング３８により上方に付勢された状態で支持されたセンサー本体３９と、該センサー本体３９の上端において熱良導性金属（例えば、アルミニウムあるいはアルミニウム合金）からなる感温カバー４０に覆われた状態で配設されたサーミスタ４１とからなっており、前記貯湯容器１の載置時においては前記感温カバー４０がスプリング３８の付勢力により前記内容器３の底部を構成する非真空部３ａに圧接されることとなっている。
【００３０】
前記センサー本体３９内には、貯湯容器１の載置状態を検知する検知手段として作用するマグネット式のリードスイッチ４２が配設されており、該リードスイッチ４２は、貯湯容器１の載置時には前記センサー本体３９がスプリング３８の付勢力に抗して下降してセンサー本体３９に設けられたマグネット４３によりＯＮ作動し、貯湯容器１の非載置時にはセンサー本体３９がスプリング３８の付勢力により上昇してＯＦＦ作動することとなっている。
【００３１】
さらに、前記載置台９には、電動ポンプ装置７の駆動部７Ｂが内蔵されており、該駆動部７Ｂは、貯湯容器１の載置時において該貯湯容器１側のポンプ部７Ａと合致することとなっている。電動ポンプ装置７の詳細については後述する。
【００３２】
前記立脚部２７は、両側の柱部２７ａ，２７ａと該柱部２７ａ，２７ａに挟まれた中空な板状部２７ｂとからなる合成樹脂製の一体成形品とされており、前記板状部２７ｂにおける反載置台側上端には、前記した庇部２８が一体的に設けられている。この庇部２８には、後部側（即ち、板状部２７ｂ側）上端に前記貯湯容器１の蓋体６におけるカバー部２３（換言すれば、凸部）が貯湯容器１の載置時に係合する凹部４５が形成されており、該凹部４５の下端に入口４６ａを有し且つ前記庇部２８の前部側中央部下端から突出する給湯口４６ｂを有する注出通路４６が庇部８内部に形成されている。
【００３３】
上記構成において、貯湯容器１の載置時には、給湯通路８は、前記立脚部２７に沿って上方に延設されて前記庇部８内に形成された注出通路４６の入口４６ａに上端開口（即ち、注出パイプ出口１７ａ）が臨まされることとなる。
【００３４】
また、図３に示すように、前記立脚部２７における板状部２７ｂには、前記パイプカバー１８の透明窓１９が臨む覗窓４７が形成され、さらに、この板状部２７ｂ内には、電気ヒータ３２、電動ポンプ装置７等の制御を行うマイクロコンピュータユニット（以下、マイコンという）等を備えた制御基板４８が配設されている。このようにすると、立脚部２７の板状部２７ｂ内における余剰空間を有効に利用できることとなる。
【００３５】
図１、図２および図５に示すように、前記庇部８の上面は、給湯キー４９およびロック解除キー５０を備えた第１の操作部Ａとされ、また、前記庇部８の前面は、タイマキー５１、再沸騰キー５２、選択キー５３、杯数キー５４、選択表示灯５５，５６，５７および液晶表示装置５８を備えた第２の操作部Ｂとされている。前記第１の操作部Ａを庇部８の上面とし、第２の操作部Ｂを庇部８の前面としたのは、操作の頻度および見やすさを考慮したためである。特に、操作頻度の高い給湯キー４９等の操作が高い位置で行えることとなるため操作がし易くなる。
【００３６】
前記受け台２９は、前記立脚部２７の下端から前記庇部８と平行に一体に突設された矩形形状の部材とされており、その中央部には、保温ヒータ５９が設けられている。該保温ヒータ５９は、前記受液用容器３０を載置できる程度の大きさを有する熱良導性金属（例えば、アルミニウムあるいはアルミニウム合金）からなる円盤形状のヒータカバー６０と該ヒータカバー６０の下面に取り付けられた保温用発熱体６１とからなっている。符号６２は保温ヒータ５９への通電を制御する保温スイッチである。
【００３７】
次に、前記した電動ポンプ装置７の構造について、図６を参照して詳述する。
【００３８】
この電動ポンプ装置７は、貯湯容器１側に設けられた（具体的には、内容器３の底部を構成する非真空部３ａに取り付けられた）ポンプ部７Ａと、給湯機本体２側に設けられた（具体的には、載置台９内に設けられた）駆動部７Ｂとからなる分離可能タイプのポンプ装置されている。このようにすると、貯湯容器１の取り外し時に電動ポンプ装置７がポンプ部７Ａと駆動部７Ｂとに分離できることとなり、貯湯容器１の着脱構造および通電部の構造を簡略化することができる。
【００３９】
前記駆動部７Ｂは、前記温度センサー３６を支持している支持部材３７に固着された断面略Ｕ字状の支持具６３に対して取り付けられたモータ６４と、該モータ６４の回転軸６４ａに枢着され且つ駆動側磁石６５を内蔵した回転体６６とからなっている。前記支持具６３の上端には、貯湯容器１の載置時に前記ポンプ部７Ａが当接されるとともに該支持具６３内をシールするシールカバー６７が取り付けられており、前記回転体６６は、前記支持具６３の内方において回転されることとなっている。符号６８は支持具６３を取り付けるためのフランジである。
【００４０】
一方、前記ポンプ部７Ａは、前記内容器３の底部を構成する非真空部３ａに取り付けられ且つ上面に吸水口７３を有し、側方に吐出口１６を有するポンプハウジング６９と、該ポンプハウジング６９の中心部に立設された回転軸７０に対して回転自在に遊嵌され且つ従動側磁石７１を内蔵したインペラ７２とからなっている。
【００４１】
そして、この電動ポンプ装置７は、貯湯容器１を載置台９に載置した状態において、モータ６４を駆動させると、回転体６６が回転し、該回転体６６に内蔵された駆動側磁石６５と従動側磁石７１との吸引作用によりインペラ７２が回転され、該インペラ７２のポンプ作用により吸水口７３から吸い込まれたお湯が吐出口１６から吐出されることとなる。
【００４２】
上記構成の給湯機における電気的要素は、図７に示すように結線されている。なお、既に説明した電気的要素については同一の符号を付し、詳細な説明を省略する。
【００４３】
図７において、符号７４は商用交流電源、７５はマイコン、７６は湯沸かし用発熱体３４Ａへの通電制御を行うリレー、７７は保温用発熱体３４Ｂへの通電制御を行うトライアック、７８は温度ヒューズである。
【００４４】
前記マイコン７５は、前記各種センサー類（例えば、温度センサー３６およびリードスイッチ４２）および各種キー類４９〜５４から入力される信号に基づいて各種演算処理を行い、電動ポンプ装置７のモータ６４、各種表示灯５５〜５７、リレー７６、トライアック７７および液晶表示装置５８へ制御信号を出力することとなっている。
【００４５】
上記のように構成された給湯機は、次のように作用する。
【００４６】
貯湯容器１における内容器３内に水Ｗを入れ、該貯湯容器１を給湯機本体２の載置台９に載置すると、温度センサー３６に内蔵されているリードスイッチ４２がＯＮ作動し（即ち、載置状態を検知し）、電気ヒータ３２における発熱体３４への通電が許容される状態となる。その状態のもとに、電源を投入すると、電気ヒータ３２における湯沸かし用発熱体３４Ａへの通電が開始され、内容器３内の水Ｗが沸かされ、沸騰すると、保温用発熱体３４Ｂへの通電に切り換えられて、所定温度（例えば、８５℃あるいは９５℃）のお湯として保温される。上記加熱制御は、温度センサー３６からの温度情報に基づいて従来公知の制御プログラムに従ってマイコン７５が行う。
【００４７】
そして、ユーザがお湯を必要とするときには、ロック解除キー５０をＯＮ操作した後、給湯キー４９をＯＮ操作すると、電動ポンプ装置７が駆動され、給湯通路８および注出通路４６を介してお湯が給湯される。
【００４８】
上記したように、貯湯容器１を給湯機本体２の載置台９上に載置した後、加熱源である電気ヒータ３２を作動させるだけで、内容器３内の水の湯沸かしおよび保温を行うことができるとともに、電動ポンプ装置７の駆動により給湯通路８および注出通路４６を介してお湯の注出が行えることとなっており、内容器３を大容量化したとしても、コンパクトで使い勝手のよいものとなる。
【００４９】
また、貯湯容器１を着脱することができるようになっているので、内容器３を大容量化しても給水が容易且つ簡単に行えるとともに、内容器３内の洗浄も簡単に行える。
【００５０】
また、加熱源である電気ヒータ３２および電動ポンプ装置７の駆動部７Ｂを給湯機本体２の載置台９部分に内蔵させ、貯湯容器１側には電気部品が存在しない構造としているので、給水時および洗浄時においても水濡れによる感電が生じるおそれがなくなる。
【００５１】
また、給湯機本体２に受液用容器３０を載置できる受け台２９を設けたことにより、受液用容器３０を常時安定した受液姿勢に保持することができることとなり、給湯されたお湯を確実に収容することができる。しかも、受け台２９に保温ヒータ５９を設けているので、保温を要する場合（例えば、受液用容器３０としてコーヒーを抽出するサーバを用いた場合）には極めて便利となる。
【００５２】
ところで、ハンドル２６を長めとして、貯湯容器１の載置時においてハンドル２６を庇部２８の上面に形成した凹溝（図示省略）に嵌合できるように構成することもでき、そのように構成した場合、ハンドル２６の凹溝への嵌合により貯湯容器１の転倒を防止することができる。
【００５３】
第２の実施の形態
図８および図９には、本願発明の第２の実施の形態にかかる給湯機が示されている。
【００５４】
この場合、給湯機本体２は、載置台９と受け台２９とを平行に隣接させ、該受け台２９の背面側に立脚部２７を立設した構成とされている。従って、貯湯容器１の載置時においては、貯湯容器１と立脚部２７とが、受け台２９の２方を囲むＬ字状配置とされるのである。このようにすると、使用時において給湯機の奥行きが浅くなり、奥行きの浅い場所での使用が可能となる。また、本実施の形態においては、蓋体６の凸部となるカバー部２３を、蓋体６の開閉方向と直交する方向に突設し、該カバー部２３を庇部８の凹部４５に係合させるようにしているので、カバー部２３と凹部４５との係合により、蓋体６をロックすることもできる。従って、ロック機構４４を省略することもできる。また、貯湯容器１と立脚部２７とが、受け台２９の２方を囲むＬ字状配置となるので、貯湯容器１を、注出通路４６の給湯口４６ｂから給湯されるお湯の飛び散りをカバーする部材として作用させることが可能となる。この飛び散り防止作用を効果的となすには、前記給湯口４６ｂを庇部８の中央部より貯湯容器１側にずらして配置するのが望ましい。その他の構成および作用効果は、第１の実施の形態におけると同様なので説明を省略する。
【００５５】
なお、上記各実施の形態においては、内容器３を真空二重容器としているが、金属製一重容器とすることもできる。また、内容器３の加熱源として電気ヒータを採用しているが、内容器３を誘導加熱する電磁誘導コイルを加熱源として採用してもよい。また、受け台２９に保温ヒータ５９を設けているが、保温ヒータは必ずしも必要ではない。
【００５６】
【発明の効果】
本願発明の第１の手段によれば、お湯を貯湯する貯湯容器と、該貯湯容器を着脱自在に載置する載置台を備えた給湯機本体とからなる給湯機において、前記貯湯容器を、お湯を貯湯する内容器と該内容器の外周部を覆う外ケースと前記内容器の上部を開閉自在に覆う蓋体とを備えて構成する一方、前記給湯機本体に、前記載置台に隣接して立ち上がり、上端部に庇部を備えた立脚部を立設するとともに、前記貯湯容器の底部に、該貯湯容器を前記載置台上に載置した状態において前記立脚部に沿って上方に延設されて前記庇部内に形成された注出通路に上端開口が臨まされる給湯通路を接続し且つ該給湯通路の下端部に、電動ポンプ装置のポンプ部を介設する一方、前記給湯機本体の載置台に、該載置台上に前記貯湯容器が載置された状態において、前記内容器を加熱する加熱源と前記ポンプ部に駆動力を伝達する駆動部とを内蔵させているので、貯湯容器を給湯機本体の載置台上に載置した後、加熱源を作動させるだけで、内容器内の水の湯沸かしおよび保温を行うことができるとともに、電動ポンプ装置の駆動により給湯通路および注出通路を介してお湯の注出が行えることとなり、内容器を大容量化したとしても、コンパクトで使い勝手のよいものとなるという効果がある。
【００５７】
また、貯湯容器を着脱することができるようになっているので、内容器を大容量化しても給水が容易且つ簡単に行えるとともに、内容器内の洗浄も簡単に行えるという効果もある。
【００５８】
また、加熱源および電動ポンプ装置の駆動部を給湯機本体の載置台部分に内蔵させ、貯湯容器側には電気部品が存在しない構造となっているので、給水時および洗浄時においても水濡れによる感電が生じるおそれがなくなるという効果もある。
【００５９】
本願発明の第２の手段におけるように、上記第１の手段を備えた給湯機において、前記給湯機本体に、前記庇部の下方に位置してサーバ等の受液用容器を載置する受け台を設けることもでき、そのように構成した場合、受液用容器を常時安定した受液姿勢に保持することができることとなり、給湯されたお湯を確実に収容することができる。
【００６０】
本願発明の第３の手段におけるように、上記第１又は第２の手段を備えた給湯機において、前記給湯機本体における庇部に、給湯キー等を備えた操作部を設けることもでき、そのように構成した場合、給湯キー等の操作が高い位置で行えることとなるため操作がし易くなる。
【００６１】
本願発明の第４の手段におけるように、上記第１、第２又は第３の手段を備えた給湯機において、前記貯湯容器における蓋体に、前記貯湯容器が前記載置台へ載置された状態において前記給湯機本体における庇部に形成された凹部あるいは凸部に対して係合する凸部あるいは凹部を形成することもでき、そのように構成した場合、載置台上に載置された貯湯容器と給湯機本体とが、貯湯容器蓋体に形成された凸部あるいは凹部と庇部に形成された凹部あるいは凸部との係合により一体的に結合されることとなり、貯湯容器の不用意な転倒を防止することができる。
【００６２】
本願発明の第５の手段におけるように、上記第１、第２、第３又は第４の手段を備えた給湯機において、前記貯湯容器の前記給湯機本体における載置台への載置状態を検知する検知手段を付設するとともに、該検知手段による載置状態検知時にのみ前記加熱源が作動開始されるように構成することもでき、そのように構成した場合、貯湯容器を載置台上に載置した時にのみ加熱源による加熱が開始されることとなり、加熱源の空焚きを防止することができる。
【図面の簡単な説明】
【図１】本願発明の第１の実施の形態にかかる給湯機の斜視図である。
【図２】本願発明の第１の実施の形態にかかる給湯機の平面図である。
【図３】本願発明の第１の実施の形態にかかる給湯機の正面図である。
【図４】図２のＩＶ−ＩＶ拡大断面図である。
【図５】本願発明の第１の実施の形態にかかる給湯機の貯湯容器を取り外した状態を示す斜視図である。
【図６】本願発明の第１の実施の形態にかかる給湯機における電動ポンプ装置の拡大断面図である。
【図７】本願発明の第１の実施の形態にかかる給湯機における電気的要素の結線図である。
【図８】本願発明の第２の実施の形態にかかる給湯機の斜視図である。
【図９】本願発明の第２の実施の形態にかかる給湯機の貯湯容器を取り外した状態を示す斜視図である。
【符号の説明】
１は貯湯容器、２は給湯機本体、３は内容器、４は外ケース、６は蓋体、７は電動ポンプ装置、７Ａはポンプ部、７Ｂは駆動部、８は給湯通路、９は載置台、１７は注出パイプ、１７ａは上端開口（出口）、２３は凸部（カバー部）、２７は立脚部、２８は庇部、２９は受け台、３０は受液用容器、３２は加熱源（電気ヒータ）、４２は検知手段（リードスイッチ）、４５は凹部、４６は注出通路、４９は給湯キー、Ａは第１の操作部、Ｂは第２の操作部。
【図１】
2004141482.tif 000003
【図２】
2004141482.tif 000004
【図３】
2004141482.tif 000005
【図４】
2004141482.tif 000006
【図５】
2004141482.tif 000007
【図６】
2004141482.tif 000008
【図７】
2004141482.tif 000009
【図８】
2004141482.tif 000010
【図９】
2004141482.tif 000011